(57)【要約】      （修正有）【課題】作業性の面からも洗浄に手間の掛かる構造を改め、メンテナンスの容易な軽量型防水デジタル台はかりを提供する。【解決手段】上部フレーム２に取り付けられるロードセル３の取り付け座５は、ロードセル取り付け面と該ロードセルを覆うカバーを兼ねた薄板曲げ構造で形成する。また同様に下部フレーム４に取り付けられるロードセルの取り付け座５は、ロードセル取り付け面と該ロードセルを覆うカバーを兼ねた薄板曲げ構造により形成する。上記ロードセル３の取り付けボルト６の取り付け部は導電性ゴム蓋９で密閉し、更に上記ロードセルの両側面は逆Ｌ字型の薄板曲げ側板１１にて囲うように上部フレーム２に取り付けられて、軽量型防水デジタル台はかりを構成する。【選択図】図１
0003164483.tif 000002
【実用新案登録請求の範囲】
【請求項１】
上部にカバーを兼ねた載台と、角パイプにより略井桁構造に組んだ上部フレームと、角パイプにより略井桁構造に組んだ下部フレームと、該下部フレーム４隅下側に水平調節用支持脚を設け、該上部フレームと該下部フレームとの間に設けられたロードセルと、該ロードセルの一方が上記上部フレームに取り付けられ、該ロードセルの他方が上記下部フレームに取り付けられた構造の台はかりであって、上記上部フレームに取り付けられるロードセルの取り付け座はロードセル取り付け面と該ロードセルを覆うカバーを兼ねた薄板曲げ構造で設けられ、また同様に上記下部フレームに取り付けられるロードセルの取り付け座はロードセル取り付け面と該ロードセルを覆うカバーを兼ねた薄板曲げ構造で設けられており、上記ロードセルの両側面は逆Ｌ字型の薄板曲げ側板にて囲うように上記上部フレームに取り付けられた構造の軽量型防水デジタル台はかり。
【考案の詳細な説明】
【技術分野】
【０００１】
この考案は、被計量物品を載置してその重量を測定するデジタル台はかりの構造に関する。
【背景技術】
【０００２】
デジタル台はかりの構造を特許文献２を参照して簡単に説明する。デジタル台はかりは特許文献２に示すように、被計量物品（図示しない）は深カバーを兼ねた載台である４の部分に載置し、その荷重はロードセル３に伝達され、ロードセルは載置した被計量物の重さに応じた電気信号を表示部１４に送り、表示部１４においてデジタル表示される。
【０００３】
近年、デジタル台はかりは軽量化の一途を辿り、持ち運びや扱いやすさが追求されてきた。その結果、用途も広くなり海産物を取り扱う市場や農作業現場などで多く使用されるようになり、水洗いができる構造が望まれ防水タイプのはかりが主流になっている。従来のように鋳物構造でなく角パイプにより製作されているのも軽量化のためである。
【０００４】
また従来では、図３に示すように、深カバーを兼ねた載台１、角パイプ構造の上部フレーム２、ロードセル３、角パイプ構造の下部フレーム４、底面ベースカバー５などで構成されており、従来の鋳物構造に比較すると軽量化されたというもののまだなお重量的に重く扱いにくい欠点がある。そして防水の面から底面ベースカバー５を設けているが、はかり全体を受けるように設けられているために異物が溜まり常に洗浄をしなければならないと言う問題がある。
【０００５】
このようにサニタリーの面から水洗を余儀なくされるが、図３の構造のものでは例えば、ロードセル３を取り付けているボルトの頭部６に異物が溜まる。もちろん洗浄時には深カバーを兼ねた載台１は取り外すがロードセル３を取り付けているボルトの頭部６に溜まった異物は取り除き難く手間が掛かる。
【先行技術文献】
【特許文献】
【０００６】
【特許文献１】実開平２−３１１４３号公報
【特許文献２】実開平２−１１５１３４号公報
【考案の概要】
【考案が解決しようとする課題】
【０００７】
上述したように、従来技術では深カバーを兼ねた載台１を外すとロードセル３に直接水が掛かる構造であるためロードセルの故障が発生しやすい。また、底からの水の跳ね返りに対しロードセルを保護するため底面ベースカバー５を設けているが、底面ベースカバー５の内面に異物が堆積し衛生面で課題がある。また底面全体をカバーしているため重量的にも重くなっていた。本考案は作業性の面からも洗浄に手間の掛かる構造を改め、メンテナンスの容易なデジタル台はかりを提供することにある。
【課題を解決するための手段】
【０００８】
本考案は、上部にカバーを兼ねた載台と、角パイプにより略井桁構造に組んだ上部フレームと、同様に角パイプにより略井桁構造に組んだ下部フレームと、該下部フレーム４隅下側に水平調節用支持脚を設け、該上部フレームと該下部フレームとの間にはロードセルが設けられており、該ロードセルの一方が上記上部フレームに取り付けられ、該ロードセルの他方が下部フレームに取り付けられた構造の台はかりであって、上部フレームに取り付けられるロードセルの取り付け座はロードセル取り付け面と該ロードセルを覆うカバーを兼ねた薄板材料による曲げ構造で設けられ、また同様に下部フレームに取り付けられるロードセルの取り付け座はロードセル取り付け面と該ロードセルを覆うカバーを兼ねた薄板材料による曲げ構造で設けられており、上記ロードセルの取り付けボルトの取り付け部は導電性ゴム蓋で密閉し、更に上記ロードセルの両側面は逆Ｌ字型の薄板材料による曲げ側板にて囲うように上部フレームに取り付けられた構造の軽量型防水デジタル台はかりである。
【考案の効果】
【０００９】
このような構造にしたことにより、本考案の軽量型防水デジタル台はかりは、軽量になった上に通常使用時に外部から水を掛けてもロードセルには直接水が掛からずロードセルの故障が低減できるとともに、内部に水や異物が溜まることなくメンテナンスが容易になり作業性が向上するという効果がある。
【図面の簡単な説明】
【００１０】
【図１】（A）は本考案の軽量型防水デジタル台はかりの正面断面図、（B）は側面断面Ｃ−Ｃ視図である。
【図２】本考案の軽量型防水デジタル台はかりの斜視図である。
【図３】従来の防水デジタル台はかりの斜視図である。
【考案を実施するための形態】
【００１１】
以下、図面に従って本考案の実施の形態について説明する。
【実施例】
【００１２】
図１図２及び図３において共通の構成部位は同一番号で示す。１は深カバー兼載台、２は略井桁構造に組んだ上部フレーム、３はロードセル、４は略井桁構造に組んだ下部フレーム、５はロードセル取り付けベース、６はロードセル取り付けボルト、７は水平調節用支持脚、８は底面ベースカバー、９は導電性ゴム蓋、１０は導電性ゴムシート、１１は逆Ｌ字型の薄板材料による曲げ側板、１２は角パイプ端面を覆うゴムキャップである。
【００１３】
本考案における軽量型防水デジタル台はかりの構造の説明においては本体部のみに本考案の主要部があるため表示部を省略した。
【００１４】
図１及び図２において説明する。略井桁に組まれた上部フレーム２は軽量にするため角パイプが採用されている。ロードセル３は上部フレームの中央に位置するように設置されている。その取り付け座は５−１である。本考案においてはこの取り付け座５−１を含むロードセル取り付けベース５を薄板材料による曲げ構造としたことにより、ロードセルを保護するカバー５−２の役目もしている。ロードセル３はその一端を該取り付け座５−１にロードセル取り付けボルト６で取り付けられている。下部フレーム４は上部フレームとほぼ同様の形状であり角パイプで略井桁に組まれている。そして、その中央に位置するようにロードセルを配置する。ロードセル３の他方端はこの下部フレーム４のロードセル取り付け座５−１に取り付けられている。下部フレームに設けられているロードセル取り付けベース５も同様に薄板材料による曲げ構造としたことによりロードセルを保護するカバー５−２の役目もしている。また、図１（Ｂ）に示すように逆Ｌ字型の薄板材料による曲げ側板１１が防水の役目を果たしている。導電性ゴム蓋９によってロードセル取り付けボルト６の頭部に水や異物が入らないようにしている
【００１５】
従来のデジタル台はかりでは図３に示すように上記の取り付けベース５が厚板材料で構成されていたため頑丈ではあるものの重量があり台はかり自体を重くしていた。更に底面ベースカバー８を設けていたため台はかり自体を重くしていた。また底面ベースカバー８の内面に水や異物が溜まることもあり常に洗浄に心がけなければならずサニタリー面で問題があった。
【産業上の利用可能性】
【００１６】
本考案の軽量型防水デジタル台はかりは魚介類の計量、農産物の計量に有用である。
【符号の説明】
【００１７】
１  深カバー兼載台
２  略井桁構造に組んだ上部フレーム
３  ロードセル
４  略井桁構造に組んだ下部フレーム
５  ロードセル取り付けベース
６  ロードセル取り付けボルト
７  水平調節用支持脚
８  底面ベースカバー
９  導電性ゴム蓋
１０  導電性ゴムシート
１１  逆Ｌ字型の薄板材料による曲げ側板
１２  ゴムキャップ
【図１】
0003164483.tif 000003
【図２】
0003164483.tif 000004
【図３】
0003164483.tif 000005